(57)【特許請求の範囲】
【請求項１】
番組放送情報、リンク情報、放送受信装置内の表示処理動作および放送番組の記憶媒体への予約録画設定を行うための制御信号を含み、マークアップ言語によって記述された複数のデータを、インターネットを介して所定のサーバから受信する受信手段と、
前記マークアップ言語によって記述された複数のデータを記憶する記憶手段と、
前記記憶手段により記憶された前記マークアップ言語によって記述された複数のデータの中から、少なくとも１つのマークアップ言語によって記述されたデータを取り出し、前記マークアップ言語によって記述されたデータを解析し、他のデータとリンクしていることを表すリンク表示部分を他の表示部分と識別可能に表示する表示信号を発生させるための処理を行う処理手段と、
他の表示部分と識別可能に表示された前記表示信号のリンク表示部分をクリックすることによりリンク情報のリンク個所を指示するユーザインターフェイス手段と
を含み、
前記処理手段は、前記ユーザインターフェイス手段によって、放送番組を特定する表示からなる前記リンク個所が指示された場合、前記リンク箇所のリンク先を示すURL(Uniform Resource Locator)を表示させるとともに、前記リンク箇所のリンク情報に対応するインターネット上のサーバから、前記放送番組の録画予約設定を行うための制御信号を含むマークアップ言語によって記述されたデータを前記受信手段に受信させ、受信された前記制御信号に基づいて、前記放送番組の記憶媒体への予約録画設定処理を行う
ことを特徴とする放送受信装置。
【請求項２】
前記リンク情報は、前記マークアップ言語によって記述されたデータのアドレス情報を含む
ことを特徴とする請求項１に記載の放送受信装置。
【請求項３】
前記表示信号に基づいて表示される表示内容は、前記番組放送情報に基づいて表示される表
示内容と関連している
ことを特徴とする請求項１に記載の放送受信装置。
【請求項４】
前記記憶媒体は、前記放送受信装置に接続されている記録装置である
ことを特徴とする請求項１に記載の放送受信装置。
【請求項５】
番組を受信する放送受信装置の放送受信方法において、
番組放送情報、リンク情報、放送受信装置内の表示処理動作および放送番組の記憶媒体への予約録画設定を行うための制御信号を含み、マークアップ言語によって記述された複数のデータを、インターネットを介して所定のサーバから受信する受信ステップと、
前記マークアップ言語によって記述された複数のデータを記憶する記憶ステップと、
前記記憶ステップの処理で記憶された前記マークアップ言語によって記述された複数のデータの中から、少なくとも１つのマークアップ言語によって記述されたデータを取り出し、前記マークアップ言語によって記述されたデータを解析し、他のデータとリンクしていることを表すリンク表示部分を他の表示部分と識別可能に表示する表示信号を発生させるための処理を行う処理ステップと、
を他の表示部分と識別可能に表示された前記表示信号のリンク表示部分をクリックすることによりリンク情報のリンク個所を指示する指示ステップと
を含み、
前記処理ステップは、前記指示ステップの処理で、放送番組を特定する表示からなる前記リンク個所が指示された場合、前記リンク箇所のリンク先を示すURL(Uniform Resource Locator)を表示させるとともに、前記リンク箇所のリンク情報に対応するインターネット上のサーバから、前記放送番組の録画予約設定を行うための制御信号を含むマークアップ言語によって記述されたデータを受信させ、受信された前記制御信号に基づいて、前記放送番組の記憶媒体への予約録画設定処理を行う
ことを特徴とする放送受信方法。
【発明の詳細な説明】
【０００１】
【発明の属する技術分野】
本発明は、放送受信装置および方法に関し、特に、テレビジョン放送に関連したハイパーテキストデータ信号を送信し、受信側が、そのハイパーテキストデータ信号を処理するようにした放送受信装置および方法に関する。
【０００２】
【従来の技術】
近年、放送衛星、通信衛星などの衛星を介してテレビジョン放送信号をデジタル化して伝送し、各家庭において、これを受信するシステムが普及しつつある。このシステムにおいては、例えば、８０近くのチャンネルを確保する事が可能であるため、極めて多くの番組を放送することができる。
【０００３】
このようなシステムにおいては、伝送可能な番組の数が増えるため、所望の番組を選択するための電子番組ガイド（ＥＰＧ：Electronic Program Guide）を番組とともに伝送し、これをモニタ装置において表示し、表示された電子番組ガイドを用いて、所望の番組を迅速確実に選択することが提案されている。
【０００４】
【発明が解決しようとする課題】
しかしながら、従来のアナログ放送において、上述したような番組案内のサービスを提供するためには、送信側と受信側の双方に多くのハードウェアを必要とし、また、その構成も複雑となるため、現実的な適用は困難である課題があった。
【０００５】
本発明はこのような状況に鑑みてなされたものであり、ユーザが、ディスプレイ上にＧＵＩ（Graphical User Interface）を用いて表示された番組案内を用いて、所望の番組を迅速かつ適格に把握し、選択できるようにするものである。
【０００６】
【課題を解決するための手段】
本発明の放送受信装置は、番組放送情報、リンク情報、放送受信装置内の表示処理動作および放送番組の記憶媒体への予約録画設定を行うための制御信号を含み、マークアップ言語によって記述された複数のデータを、インターネットを介して所定のサーバから受信する受信手段と、マークアップ言語によって記述された複数のデータを記憶する記憶手段と、記憶手段により記憶されたマークアップ言語によって記述された複数のデータの中から、少なくとも１つのマークアップ言語によって記述されたデータを取り出し、マークアップ言語によって記述されたデータを解析し、他のデータとリンクしていることを表すリンク表示部分を他の表示部分と識別可能に表示する表示信号を発生させるための処理を行う処理手段と、他の表示部分と識別可能に表示された表示信号のリンク表示部分をクリックすることによりリンク情報のリンク個所を指示するユーザインターフェイス手段とを含み、処理手段は、ユーザインターフェイス手段によって、放送番組を特定する表示からなるリンク個所が指示された場合、リンク箇所のリンク先を示すURLを表示させるとともに、リンク箇所のリンク情報に対応するインターネット上のサーバから、放送番組の録画予約設定を行うための制御信号を含むマークアップ言語によって記述されたデータを受信手段に受信させ、受信された制御信号に基づいて、放送番組の記憶媒体への予約録画設定処理を行うことを特徴とする。
【０００７】
前記リンク情報は、マークアップ言語によって記述されたデータのアドレス情報を含むようにすることができる。
【０００９】
表示信号に基づいて表示される前記表示内容は、番組放送情報に基づいて表示される表示内容と関連しているようにすることができる。
【００１１】
前記記憶媒体は、放送受信装置に接続されている記録装置であるようにすることができる。
【００１３】
本発明の放送受信方法は、番組放送情報、リンク情報、放送受信装置内の表示処理動作および放送番組の記憶媒体への予約録画設定を行うための制御信号を含み、マークアップ言語によって記述された複数のデータを、インターネットを介して所定のサーバから受信する受信ステップと、マークアップ言語によって記述された複数のデータを記憶する記憶ステップと、記憶ステップの処理で記憶されたマークアップ言語によって記述された複数のデータの中から、少なくとも１つのマークアップ言語によって記述されたデータを取り出し、マークアップ言語によって記述されたデータを解析し、他のデータとリンクしていることを表すリンク表示部分を他の表示部分と識別可能に表示する表示信号を発生させるための処理を行う処理ステップと、を他の表示部分と識別可能に表示された表示信号のリンク表示部分をクリックすることによりリンク情報のリンク個所を指示する指示ステップとを含み、処理ステップは、指示ステップの処理で、放送番組を特定する表示からなるリンク個所が指示された場合、リンク箇所のリンク先を示すURLを表示させるとともに、リンク箇所のリンク情報に対応するインターネット上のサーバから、放送番組の録画予約設定を行うための制御信号を含むマークアップ言語によって記述されたデータを受信させ、受信された制御信号に基づいて、放送番組の記憶媒体への予約録画設定処理を行うことを特徴とする。
【００１４】
本発明においては、放送番組を特定する表示からなり、他の表示部分と識別可能に表示されたリンク個所が指示された場合、リンク箇所のリンク先を示すURLが表示されるとともに、リンク箇所のリンク情報に対応するインターネット上のサーバから、放送番組の録画予約設定を行うための制御信号を含むマークアップ言語によって記述されたデータが受信され、受信された制御信号に基づいて、放送番組の記憶媒体への予約録画設定処理が行われる。
【００２８】
【発明の実施の形態】
図１は本発明のＴＶ（テレビジョン）放送装置１の一実施の形態の構成を表すブロック図である。
【００２９】
アナログの映像信号と音声信号（以下、必要に応じて、映像信号と音声信号をまとめて映像音声信号と称する）は、ＴＶ信号発生回路２１で生成され、マルチプレクサ２４に出力されるようになされている。
【００３０】
また、ＴＶ（テレビジョン）番組に関連したテキストデータ信号は、テキストデータ信号発生回路２２で生成され、マルチプレクサ２４に出力されるようになされている。
【００３１】
さらに、ＴＶ番組に関連したテキストデータ信号に対応したハイパーテキストデータ信号は、ハイパーテキストデータ信号発生回路２３で生成され、マルチプレクサ２４に出力されるようになされている。
【００３２】
マルチプレクサ２４は、アナログの映像信号のＶＢＩ（Vertical Blanking Interval：垂直帰線消去期間）の所定の水平走査線上にテキストデータ信号と、それに対応したハイパーテキストデータ信号を挿入し、１つのＴＶ放送信号に多重化する。例えば、音声信号に対応した文字を字幕として画面上に表示させることができる文字多重放送（クローズドキャプション）では、映像信号の垂直帰線消去期間の第２１番目の走査ラインにテキストデータ信号を多重化させているが、これと同様に、映像信号の他の垂直帰線消去期間の走査ラインにハイパーテキストデータを多重化させるようにする。そして、この多重化されたＴＶ放送信号は、送信回路２５を介し、アンテナ２より電波として出力されるようになされている。
【００３３】
このようにして、テキストデータ信号、ハイパーテキストデータ信号、およびＴＶ映像音声信号が１つのＴＶ放送信号に多重化され、アンテナ２より出力されるようになされている。
【００３４】
図２は本発明のテレビジョン受像機の一実施の形態の構成を表すブロック図である。ＴＶ映像音声信号、テキストデータ信号、およびハイパーテキストデータ信号を含むＴＶ放送信号は、アンテナ１１により受信され、ＴＶ受像機１７に入力されるようになされている。
【００３５】
ＴＶ受像機１７のＴＶ放送受信回路３１は、制御マイクロコンピュータ３４から指定されたＴＶ放送信号の選択を行い、複数のＴＶ放送信号の中から指定されたものを抽出、復調し、その映像音声信号を映像音声処理回路３３に出力するようになされている。従って、ユーザの指定したＴＶ番組は、このＴＶ放送受信回路３１により、ＴＶ放送信号の中から選択され、抽出される。
【００３６】
データ放送受信回路３２は、制御マイクロコンピュータ３４から指定されたＴＶ放送信号に含まれるテキストデータ信号（クローズドキャプション信号）の選択、復調を行い、映像音声処理回路３３に出力するようになされている。従って、ユーザの指定した文字放送（テキストデータ信号）は、このデータ放送受信回路３２により、ＴＶ放送信号の中から選択され、抽出されるようになされている。
【００３７】
一方、番組案内制御のための（ＥＰＧとしての）テキストデータ信号と、そのテキストデータ信号に対応したハイパーテキストデータ信号から成る制御データ信号は、映像信号の所定の水平走査線上に多重化されて送信されるため、１度に多くの制御データ信号を送ることは困難である。従って、これらの信号は、ＴＶ放送局から、ＴＶ映像音声信号とは異なるタイミングで送信され、ＴＶ受像機１７のデータ放送受信回路３２により抽出、復調され、制御マイクロコンピュータ３４を介して、ＨＤＤ（ハードディスクドライブ）３５に蓄積され、必要に応じ、適宜、ＨＤＤ３５より読み出され、処理されるようになされている。例えば、ＴＶ放送局が、これらの信号を多重化したＴＶ放送信号をＴＶ番組の終了した夜間に出力し、ＴＶ受信機１７が夜間のうちに、これらの信号をＨＤＤ３５に蓄積するようにしてもよい。
【００３８】
映像音声処理回路３３は、ＴＶ放送受信回路３１より入力された映像信号を処理し、ＣＲＴ３６に供給する映像信号を生成する。また、映像音声処理回路３３は、このＴＶ映像信号に、データ放送受信回路３３より出力されるテキストデータ信号（クローズドキャプション信号）、または制御マイクロコンピュータ３４より出力される画像データ信号を重畳し、映像信号をＣＲＴ３６に出力するようになされている。
【００３９】
また、映像音声処理回路３３は、ＴＶ放送受信回路３１より入力された音声信号に増幅等の処理を施した後、スピーカ３７に出力するようになされている。
【００４０】
リモートコマンダ１３からの赤外線ＴＶ操作信号は、受光部１３ａおよび制御マイクロコンピュータ３４で処理され、その結果、ＴＶ放送受信回路３１に対して、指定ＴＶ映像音声信号の選択、復調命令が出力されたり、データ放送受信回路３２に対して、テキストデータ信号（クローズドキャプション信号）の選択、復調命令が出力されたりするようになされている。
【００４１】
また、リモートコマンダ１３からの番組案内の表示を指示する指示信号（図３の番組案内キー４１の操作により出力される信号。図３を用いて後述）が、制御マイクロコンピュータ３４に入力されると、制御マイクロコンピュータ３４は、ＨＤＤ３５より読み出した制御データ信号に対応する画像データ（ホームページ表示用データ）信号を生成し、映像音声処理回路３３に出力するようになされている。
【００４２】
さらに、リモートコマンダ１３からの番組案内のための処理を指示する指示信号が制御マイクロコンピュータ３４に入力されると、制御マイクロコンピュータ３４は、ＨＤＤ３５より読み出した制御データ信号を用いて、指示信号に対応する処理を実行させるための制御信号を、赤外線発光部１４ａを介してＶＣＲ（VIDEO CASSETTE RECORDER）１４に送信したり、またはコネクタ１５ａを介してモデム１５に送信したりする。さらに、画像データ信号を生成し、映像音声処理回路３３に出力するなどして、様々な処理を行うようになされている。
【００４３】
ユーザが、このＴＶ受像機１７の電源スイッチ（図示せず）を切ると、そのとき出力中であったＴＶチャンネルが制御マイクロコンピュータ３４内の不揮発性メモリ（図示せず）に記憶され、ユーザが、次回、ＴＶ受像機１７の電源スイッチを入れたときに制御マイクロコンピュータ３４内に記録されたＴＶチャンネルの映像音声の出力処理が行われるようになされている。
【００４４】
図３は、リモートコマンダ１３の操作部の一例を示す図である。
【００４５】
この操作部は、番組案内キー４１、上下左右キー４２乃至４５、確定キー４６、テンキー４７、および文字放送キー４８により構成されている。
【００４６】
図２に示すＴＶ受像機１７は、従来と同様のＴＶ操作による制御を行うＴＶ操作モードと、ハイパーテキストデータ信号を用いた制御を行う番組案内モードで動作するようになされている。
【００４７】
番組案内キー４１は、番組案内モードと、ＴＶ操作モードとの切換キーであり、ユーザが番組案内キー４１を１回押下するごとに、番組案内モードとＴＶ操作モードが切り替わるようになされている。
【００４８】
ＴＶ操作モードでのＴＶ番組の選局と文字放送の選局は、上下キー４２,４３、テンキー４７、および文字放送キー４８により行われるようになされている。例えば、ユーザが上キー４２（または下キー４３）を１回押下すると、次の（または前の）チャンネルのＴＶ番組が選局され、または、テンキー４７で示される数字のいずれかを押下すると、その数字に対応するチャンネルのＴＶ番組が選局され、文字放送キー４８を１回押下すると、選局されているチャンネルのＴＶ番組の映像音声信号に多重化されているテキストデータ信号（クローズドキャプション信号）が選択され、テキスト文字が表示される。
【００４９】
これに対して、制御モード時は、ユーザが、ＴＶ受像機１７の制御を選択するためのＧＵＩを用いた選択画面から、上下左右キー４２乃至４５の操作により、カーソルを、制御内容を示す画面上領域に移動させ、制御内容を選択した後、確定キー４６の操作により、制御内容を決定するようになされている。
【００５０】
次に、この操作部を使用した具体的な操作と、その操作に対応した処理動作および表示画面について、図４以降の図を参照して説明する。
【００５１】
図４は、ＴＶ受像機１７の処理動作を説明するフローチャートである。
【００５２】
始めに、ＴＶ操作モード時の動作について説明する。
【００５３】
ユーザが、電源スイッチ（図示せず）を押し、このＴＶ受像機１７を動作状態にさせると、図４のステップＳ１１で、ＴＶ受像機１７の動作モードがＴＶ操作モードに初期設定される。また、この状態では、ユーザが、前回、このＴＶ受像機１７の電源スイッチ（図示せず）を切ったときの状態が、制御マイクロコンピュータ３４内のメモリに保持されており、そのときに選局されていたチャンネルのＴＶ番組の映像音声が、デフォルトとして出力される。
【００５４】
続くステップＳ１２で、ユーザからの入力信号の受信待ち処理が行われ、ユーザからの指示信号が入力されるまで、ステップＳ１１で初期設定されたチャンネルのＴＶ番組の映像音声を出力し続ける。
【００５５】
この状態から、ユーザが、あるＴＶ番組の選局を行う目的で、図３に示す操作部の上キー４２を１回押下すると、リモートコマンダ１３よりＴＶ受像機１７に対して指示信号が出力される。
【００５６】
ＴＶ受像機１７がこの指示信号を入力すると、ステップＳ１２の入力信号の受信待ち処理が解除され、ステップＳ１３において、ＴＶ受像機１７の制御マイクロコンピュータ３４は、入力信号が図３の番組案内キー４１による信号であるのか否かを判断する。今の場合、入力信号は、ＴＶ番組の選局を指示するＴＶ操作信号であるので、番組案内キー４１による指示信号ではないと判断し、ステップＳ１９の処理を行う。
【００５７】
ステップＳ１９において、番組案内モードが設定されているか否かが判断される。今の場合、ＴＶ受像機１７はＴＶ操作モードで動作しているので、番組案内モードが設定されていないと判断され、後続のステップＳ２０の処理が実行される。
【００５８】
ステップＳ２０において、制御マイクロコンピュータ３４はユーザからの指示信号に従い、ＴＶ放送受信回路３１に対して、ユーザの指定したチャンネルのＴＶ番組（この場合は次のチャンネルのＴＶ番組）の選択を指示する命令信号を出力する。この命令に対してＴＶ放送受信回路３１は、指定されたＴＶ番組信号を抽出、復調し、その番組の映像音声信号を映像音声処理回路３３に送信する。映像音声処理回路３３は、この映像音声信号を処理し、映像と音声を出力する。
【００５９】
ユーザの選択したＴＶ番組が出力された後、ステップＳ１２に分岐し、再び、次の入力信号が受信されるのを待つ。このようにして、ユーザのＴＶ操作では、図４のステップＳ１２、ステップＳ１３、ステップＳ１９、及びステップＳ２０の処理が、繰り返し実行される。
【００６０】
テキストデータ信号（クローズドキャプション信号）の出力時における処理ステップも同様であり、例えば、図３の文字放送キー４８を押すと、今、選択されているＴＶ番組に対応するテキスト文字の表示を指示する指示信号がリモートコマンダ１３から出力される。この指示信号をＴＶ受像機１７が受信すると、ステップＳ１２の入力信号の受信待ち処理が解除され、続くステップＳ１３で、入力信号は番組案内モードを設定する信号ではないと判断され、ステップＳ１９で、番組案内モードはＯＮではないと判断され、ステップＳ２０の処理が行われる。
【００６１】
ステップＳ２０で、制御マイクロコンピュータ３４がユーザからの指示信号に従い、ユーザの指定した番組（今、映像音声が出力されているチャンネルのＴＶ番組）に対応したテキストデータ信号の選択、復調を指示する命令信号をデータ放送受信回路３２に対して、出力する。この命令に対してデータ放送受信回路３２は、指定された番組に対応するテキストデータ信号を選択、復調し、そのテキストデータ信号を映像音声処理回路３３に送信する。映像音声処理回路３３は、ＴＶ映像信号にこのテキストデータ信号を重畳させ、ＣＲＴ３６に出力する。
【００６２】
このようにして、ユーザの選択した文字放送が出力される。
【００６３】
次に、ハイパーテキストデータ信号を用いた番組案内モードの動作について説明する。
【００６４】
ユーザが図３の番組案内キー４１を１回押下すると、リモートコマンダ１３から番組案内モードを設定する指示信号が出力される。
【００６５】
ＴＶ受像機１７がこの指示信号を受信すると、図４のステップＳ１２の入力信号待ち処理が解除され、ステップＳ１３で、入力信号は番組案内モードを設定する信号であると判断され、続くステップＳ１４の処理を実行する。ステップＳ１４で、番組案内モードが既に設定されているか否かが判断され、今の場合、番組案内のモードは、まだ設定されていないので、続くステップＳ１５の処理が行われる。ステップＳ１５で、制御マイクロコンピュータ３４は、番組案内モードをＯＮに設定する。以後、このＴＶ受信機１７はハイパーテキストデータ信号を用いた番組案内モードで動作する。
【００６６】
続くステップＳ１６において、制御マイクロコンピュータ３４は、ＨＤＤ３５からホームページを表示するための制御データ信号（テキストデータ信号とそれに対応するハイパーテキストデータ信号）を取得し、この制御データ信号に対応するホームページの画像データ信号を生成し、映像音声処理回路３３に出力する。
【００６７】
映像音声処理回路３３は、出力中のＴＶ映像信号に上記の画像データ信号を重畳させ、ＣＲＴ３６に出力する。
【００６８】
このようにして、ＣＲＴ３６に表示されたホームページ画面の表示例を図５に示す。
【００６９】
図５に示すホームページは、ハイパーテキストを用いたテキストＴ１、テキストＴ２、およびＴＶ番組領域Ａ１、並びにＵＲＬ表示部Ａ１０より構成されている。
【００７０】
ここで、これらのテキストに用いられているＨＴＭＬについて、説明する。
【００７１】
ＨＴＭＬ（HYPER TEXT MARKUP LANGUAGE）とは、ハイパーテキストを記述するための言語であり、テキスト中にタグ（tag）とよばれるコマンドを埋め込むことにより、文字の修飾、箇条書き、改行などを表現することができる。さらに、アンカータグとしてテキストと関連するＵＲＬ（Uniform Resource Locator）を記述することで、そのテキストとＵＲＬで指定されるホームページとの間にリンクを張ることができる。
【００７２】
また、専用のＷＷＷブラウザとよばれるソフトウェアを使用することにより、このリンクが張られたテキストから様々な情報ファイルを呼び出すことが可能である。テキストから呼び出されるこのファイルは、クライアント側のＨＤＤ上のファイルは勿論のこと、ネットワーク上のサーバのファイルであれば自由に呼び出すことができる。このことが、ＨＴＭＬの最大の特徴となっている。
【００７３】
このブラウザとしては、イリノイ大学のNCSA（NATIONAL CENTER FOR SUPERCOMPUTING APPLICATION）で、最初に開発されたMOSAICというソフトウェアが有名である。
【００７４】
インターネットのＷＷＷ（WORLD WIDE WEB）は、このＨＴＭＬを使用したシステムであり、MOSAICなどのソフトウェアがＨＴＭＬのブラウザとなり、世界中のＷＷＷサーバのファイルをリアルタイムに呼び出して表示することができる。
【００７５】
インターネットで用いられているＷＷＷシステムでは、ネットワークに接続されているＷＷＷサーバに、ＵＲＬ（UNIFORM RESOURCE LOCATOR）とよばれるネットワークアドレス（ドメイン情報）が付与されている。また、ＨＴＭＬで記述されたテキストに、関連するＵＲＬを記述したタグを付けることにより、ＵＲＬで指定したＷＷＷサーバ内のファイルにリンクさせることができる。
【００７６】
例えば、ＷＷＷサーバ内のファイルにリンクされたテキストにカーソルを合わせ、クリックするだけで、リンクされたＷＷＷサーバ内のファイルがＷＷＷサーバからクライアントへ転送され、クライアント側でＷＷＷサーバのホームページが表示される。このようにして、ＨＴＭＬを利用したＷＷＷシステムでは、ネットワーク上のＷＷＷサーバに容易にアクセスし、画像、音声、テキスト、動画等の様々なデータを扱うことができる。
【００７７】
図５で示すホームページの説明に戻り、テキストＴ１、テキストＴ２、およびＴＶ番組領域Ａ１は、テキスト文字にＨＴＭＬを用いて関連するファイルがリンクされたハイパーテキストであり、これらのテキストは、通常の（ファイルがリンクされていない）テキスト文字が例えば、黒字で表示されているのに対して、これとは異なる例えば、青字で表示されている。
【００７８】
テキストＴ１は、放送中プログラム案内を表示するためのファイルがリンクされたハイパーテキストを表しており、テキストＴ２は、放送チャンネル案内を表示するためのファイルがリンクされたハイパーテキストを表している。
【００７９】
ＴＶ番組領域Ａ１は、１,３,４,６,８,１０,１２,Ｕ１,Ｕ２,ＢＳで示される各テキストに、それらと対応する各チャンネルのＴＶ番組の内容を表示するためのファイルがリンクされたハイパーテキストを表している。
【００８０】
ＵＲＬ表示部Ａ１０は、カーソルで指定されたハイパーテキストのテキスト文字にリンクされたファイル名を表示する領域である。
【００８１】
今、カーソルが図５で示したＴＶ番組領域Ａ１内のＴＶ番組のチャンネル番号１番を示す“１”の位置にあるので、このカーソルの位置のテキストにリンクされたファイル名がＵＲＬ表示部Ａ１０に表示されている。
【００８２】
上下左右キー４２乃至４５の操作によりカーソルをＴＶ番組領域Ａ１の１,３,４,６,８,１０,１２,Ｕ１,Ｕ２,ＢＳで表される各チャンネルの位置に合わせ、確定キー４６を押すことにより、そのチャンネルの映像音声を出力させることができる。このときの動作について説明する。
【００８３】
図５に示す画面の状態から、ユーザが図３の右キー４５を１回押下すると、リモートコマンダ１３よりカーソル移動の指示信号が出力される。
【００８４】
この指示信号をＴＶ受像機１７が受信すると、図４のステップＳ１２の入力信号受信待ちが解除され、続くステップＳ１３で、入力信号は番組案内モードを設定する指示信号ではないと判断され、ステップＳ１９に分岐し、ステップＳ１９で、番組案内モードはＯＮであると判断され、ステップＳ２１の処理が行われる。
【００８５】
ステップＳ２１では、入力信号がＨＴＭＬの処理信号（確定キーによる信号）であるのか、カーソル位置の更新信号（上下左右キーによる信号）であるのかが、判断され、いまの場合、右キー４５の操作による指示信号であるので、カーソル位置の更新信号であると判断され、ステップＳ２３の処理を実行する。
【００８６】
ステップＳ２３で、制御マイクロコンピュータ３４は、右キー４５の操作に対応して、画面に表示されたカーソルの位置を右に１つ移動させたカーソル表示の画像データ信号を生成し、また、移動先のテキスト文字（この場合、ＴＶ番組領域Ａ１の３で示すテキスト）にリンクされたファイル名をＨＤＤ３５に蓄積された制御データ信号より取得し、ＵＲＬ表示部Ａ１０に表示させる画像データ信号を生成し、これらの画像データ信号を、映像音声処理回路３３に出力する。
【００８７】
映像音声処理回路３３は、出力中の映像信号にこの画像データ信号を重畳し、ＣＲＴ３６に出力する。
【００８８】
このようにして、カーソルが１つ右の、ＴＶ番組領域Ａ１内のＴＶ番組のチャンネル番号３番を示す３の位置に移動し、さらに、ＨＴＭＬによりカーソルの位置にリンクされたファイル名をＵＲＬ表示部Ａ１０に表示する画面データが出力される。このようにして、ユーザは上下左右キー４２乃至４６の操作により、自由に目的のＨＴＭＬで記述された文字にカーソルを移動させることができる。
【００８９】
この状態（カーソルがＴＶ番組領域Ａ１内のチャンネル番号３番を示す３の位置にある状態）から、ユーザが図３の確定キー４６を押下すると、リモートコマンダ１３より選択の決定を指示する指示信号が出力される。
【００９０】
この指示信号をＴＶ受像機１７が受信すると、図４のステップＳ１２の入力信号受信待ちが解除され、続くステップＳ１３、ステップＳ１９、を経てステップＳ２１の処理が行われる。
【００９１】
ステップＳ２１では、制御マイクロコンピュータ３４が入力信号の種類を判定する。この場合は確定キー４６の操作によるＨＴＭＬ処理の指示信号であるので、入力信号はＨＴＭＬ処理信号（確定キー４６による信号）であると判断され、ステップＳ２２のＨＴＭＬによる処理を実行する。
【００９２】
ステップＳ２２で、制御マイクロコンピュータ３４は、ＨＤＤ３５から対応する実行可能ファイル（制御データ信号によるファイル）を取得し、このファイルを処理する。今の場合、ファイルの処理は、チャンネル番号３番のＴＶ映像音声を出力する処理なので、制御マイクロコンピュータ３４はチャンネル番号３番のＴＶ映像音声信号を選択、復調させる命令をＴＶ放送受信回路３１に出力し、上述したＴＶ映像音声の出力処理が実行される。その後、制御マイクロコンピュータ３４は番組案内モードをＯＦＦに設定し、以後、ＴＶ受像機１７はＴＶ操作モードで動作する。
【００９３】
次に、再び、図５のホームページ画面を出力している状態に戻り、ユーザが、上下左右キー４２乃至４５の操作により、カーソルを放送中のＴＶプログラム案内を実行させるためのテキストＴ１の位置に合わせ、確定キー４６を押したときの動作について説明する。
【００９４】
ユーザが、図５に示す画面の状態から、上下左右キー４２乃至４５を操作し、カーソルをテキストＴ１の位置に合わせ、確定キー４６を押すと、リモートコマンダ１３より選択の決定を指示する指示信号が出力される。
【００９５】
この指示信号をＴＶ受像機１７が受信すると、図４のステップＳ１２の入力信号受信待ちが解除され、続いてステップＳ１３、ステップＳ１９、およびステップＳ２１を経てステップＳ２２の処理が行われる。
【００９６】
ステップＳ２２で、制御マイクロコンピュータ３４は、ＨＤＤ３５から対応するファイルを読み出し、このファイルを処理する。今の場合、ファイルの処理は、放送中プログラム案内を表示する処理（階層化された後続選択画面を表示させる処理）なので、制御マイクロコンピュータ３４は、ファイルを用いて、次に表示する画面の画像データ信号を生成し、映像音声処理回路３３に出力する。映像音声処理回路３３は、上述した画像データの重畳処理を行い、映像信号を出力する。
【００９７】
このようにして、図５で示すホームページから上下左右キー４２乃至４５と確定キー４６の操作により、テキストＴ１（１．放送中プログラム案内）を選択したときに表示される画面を図６に示す。
【００９８】
図６に示す画面は、現在放送中のＴＶ番組のプログラム案内画面であり、上下左右キー４２乃至４５によりカーソルをテキストＴ１１乃至Ｔ２０で示すＴＶ番組上に移動させ、確認キー４６を押下することにより、対応する番組の詳細情報を得ることができるような選択画面となっている。
【００９９】
図６の画面上の右下のテキストＴ３１は、上下左右キー４２乃至４５の操作によりこの領域上にカーソルを移動させ、確認キー４６を押下することにより図５に示すホームページ画面を再び表示させるためのハイパーテキストである。
【０１００】
図６に示す画面の状態から、ユーザが、上下左右キー４２乃至４５を操作し、カーソルをチャンネル番号３番で放送中の日常英会話を示すテキストＴ１２の位置に合わせ、確定キー４６を押したとする。すると、リモートコマンダ１３より選択の決定を指示する指示信号が出力される。
【０１０１】
この指示信号をＴＶ受像機１７が受信すると、図４のステップＳ１２の入力信号受信待ちが解除され、続いて、ステップＳ１３、ステップＳ１９、およびステップＳ２１を経てステップＳ２２の処理が行われる。
【０１０２】
ステップＳ２２で、制御マイクロコンピュータ３４は、ＨＤＤ３５から対応するファイルを読み出し、このファイルを処理する。今の場合、ファイルの処理は、チャンネル番号３番で提供されている日常英会話の詳細を表示する処理（階層化された後続選択画面を表示させる処理）なので、制御マイクロコンピュータ３４は、ファイルを用いて次の画面の画像データ信号を生成し、映像音声処理回路３３に出力する。映像音声処理回路３３は、上述した画像データの重畳処理を行い、映像信号を出力する。
【０１０３】
このようにして、図６で示す選択画面から上下左右キー４２乃至４５と確定キー４６の操作により、テキストＴ１２を選択したときに表示される画面を図７に示す。
【０１０４】
図７の画面は、チャンネル番号３番の番組内容の詳細情報を表示している。
【０１０５】
図７の下方のテキストＴ３２は、ユーザが上下左右キー４２乃至４５の操作によりカーソルをこのテキストに移動させ確認キー４６を押下したときに、１つ前の画面（図６の画面）を表示させるためのハイパーテキストである。
【０１０６】
図７の画面では、'日常英会話'のテキストＴ４１、'講師'のテキストＴ４２、'テキスト'のテキストＴ４３、および'ＦＡＸ'のテキストＴ４４が、関連するファイルとリンクされたハイパーテキスト文字として表されており、これらの各テキスト文字は、他の通常の黒色のテキスト文字とは異なる青色で表示されている。
【０１０７】
ユーザが、図７に示す画面の状態から、上下左右キー４２乃至４５を操作し、カーソルをテキストＴ４１（日常英会話）の位置に合わせ、確定キー４６を押したときに表示される画面を図８に示す。このときのＴＶ受像機１７の処理動作については、図５に示す画面からＴＶ番組領域Ａ１内のチャンネル番号３を選択した場合の動作と同様であるので省略する。
【０１０８】
図８に示す画面は、チャンネル番号３番の番組のＴＶ映像出力を表している。勿論、このとき、スピーカ３７から、チャンネル番号３番のＴＶ音声が出力されている。
【０１０９】
図９に示す画面は、ユーザが、図７に示す画面の状態から、上下左右キー４２乃至４５を操作し、カーソルをテキストＴ４２（講師）の位置に合わせ、確定キー４６を押したときに表示される画面を示している。このときのＴＶ受像機１７の処理動作については、図５に示す画面からテキストＴ１を選択した場合の動作と類似するので省略する。
【０１１０】
図９で示す画面は、ＴＶ番組の３番の'日常英会話'を担当する講師についての詳細情報を表示する画面である。
【０１１１】
図１０に示す画面は、ユーザが、図７に示す画面の状態から、上下左右キー４２乃至４５を操作し、カーソルをテキストＴ４３（テキスト）の位置に合わせ、確定キー４６を押したときに表示される画面を示している。
【０１１２】
図１０に示す画面は、このＴＶ番組の'日常英会話'で使用されるテキストについての詳細情報を表示する画面である。
【０１１３】
図１１に示す画面は、ユーザが、図７に示す画面の状態から、上下左右キー４２乃至４５を操作し、カーソルをテキストＴ４４（ＦＡＸ）の位置に合わせ、確定キー４６を押したときに表示される画面を示している。
【０１１４】
図１１で示す画面は、このＴＶ番組の'日常英会話'で使用されるテキストをＦＡＸで受け取るＦＡＸサービスを利用するための画面である。
【０１１５】
図１１で示す画面より、ユーザが図３の上下左右キー４２乃至４５を操作し、カーソルをテキストＴ５１（確認）上に移動させ、確認キー４６を押下したとする。すると、選択の決定を指示する指示信号がリモートコマンダ１３より出力される。
【０１１６】
この指示信号をＴＶ受像機１７が受信すると、図４のステップＳ１２の入力信号受信待ちが解除され、続くステップＳ１３、ステップＳ１９、およびステップＳ２１を経てステップＳ２２の処理が行われる。
【０１１７】
ステップＳ２２で、制御マイクロコンピュータ３４は、ＨＤＤ３５から対応するファイルを読み出し、このファイルを処理する。今の場合、ファイルの処理は、ＦＡＸサービスを受けるための処理なので、制御マイクロコンピュータ３４は、ファイルを用いてＦＡＸサービス提供元の電話番号宛に、ＦＡＸ送信先のＦＡＸ番号情報、ＦＡＸ送信要求等の信号を、モデム１５を介して電話回線１６に送信する。
【０１１８】
このようにして、ＦＡＸサービスの提供元に対して、自動的にアクセスを行いＦＡＸサービスの提供を受けることができる。
【０１１９】
次に、再び、図５のホームページ画面を出力している状態に戻る。図５の画面を表示している状態から、ユーザが、上下左右キー４２乃至４５の操作によりカーソルを、ＴＶ放送番組案内を実行させるためのテキストＴ２の位置に合わせ、確定キー４６を押したときに表示される画面を図１２に示す。
【０１２０】
図１２は、ＴＶ放送局の放送内容の詳細情報を提供するための選択画面を表している。
【０１２１】
図１２に示すように、この選択画面は、各ＴＶ放送局の地図上の位置が示されており、これらの各ＴＶ放送局のテキストＴ６１乃至Ｔ６４にはＨＴＭＬを用いて関連するファイルがリンクされている。
【０１２２】
図１３は、ユーザが図３の上下左右キー４２乃至４５の操作により、図１２で示すテキストＴ６１（ＮＮＮ）上にカーソルを移動させ、確定キー４６を押下したときに表示される画面であり、ＮＮＮ放送局の番組案内を示している。
【０１２３】
図１３に示すように、この画面は、テキストＴ７１（ジャンル）とテキストＴ７２（電子メール）を含み、これらのテキストは、ＨＴＭＬを用いて関連するファイルとリンクされたハイパーテキストである。
【０１２４】
テキストＴ７１は、ＮＮＮで放送している番組のジャンルに関する詳細情報を表示する処理（階層化された後続の選択画面を表示する処理）を実行するためのハイパーテキストであり、テキストＴ７２は、このテキストの選択後に電子メール入力画面（図示せず）を表示し、メールの入力後、そのメールをＮＮＮ放送局にモデム１５を介して送信するためのハイパーテキストである。
【０１２５】
図１４は、ユーザが図３の上下左右キー４２乃至４５の操作により、図１３で示すテキストＴ７１（ジャンル）上にカーソルを移動させ、確定キー４６を押下したときに表示される画面であり、ＮＮＮ放送局で提供される番組のジャンルについての情報を示している。
【０１２６】
図１４に示すように、この画面は、ＨＴＭＬを用いてファイルとリンクされたジャンルに関するテキストＴ８１乃至Ｔ８８を含む。テキストＴ８１乃至Ｔ８８の各テキストは、階層化された後続の選択画面を表示するためのハイパーテキストである。
【０１２７】
図１５は、ユーザが図３の上下左右キー４２乃至４５の操作により、図１４で示すテキストＴ８７（映画）上にカーソルを移動させ、確定キー４６を押下したときに表示される画面であり、ＮＮＮ放送局で提供される映画番組についての情報を示している。
【０１２８】
図１５に示すように、この画面は、ＨＴＭＬを用いてファイルとリンクされた再放送情報に関するテキストＴ９１（再放送）を含み、テキストＴ９１は、階層化された後続の選択画面を表示するためのハイパーテキストである。
【０１２９】
図１６は、ユーザが図３の上下左右キー４２乃至４５の操作により、図１５で示すテキストＴ９１（再放送）上にカーソルを移動させ、確定キー４６を押下したときに表示される画面であり、ＮＮＮ放送局で提供される映画番組の録画予約を自動的に行うための選択画面を示している。
【０１３０】
図１６に示すように、この画面は、ＨＴＭＬを用いてファイルとリンクされた自動録画予約に関するテキストＴ１０１乃至Ｔ１０４を含み、テキストＴ１０１は、階層化された後続の選択画面を表示するためのハイパーテキストであり、テキストＴ１０２乃至Ｔ１０４は、自動録画予約を実行するためのハイパーテキストである。
【０１３１】
上下左右キー４２乃至４５の操作により、テキストＴ１０１上にカーソルを移動させ、確定キー４６を押下したときに表示される画面を図１７に示す。図１７の画面は、録画予約についての説明を表示する画面である。
【０１３２】
図１６に示す画面の説明に戻り、ユーザが上下左右キー４２乃至４５を操作し、テキストＴ１０２上にカーソルを移動させ、確定キー４６を押下すると、ＮＮＮで８月９日の１８時より放送される映画'ガス灯'の録画予約処理がＶＣＲ１４に対して、自動的に行われる。
【０１３３】
このときの処理を説明すると、ユーザが、テキストＴ１０２上にカーソルを移動させ、確定キー４６を押下すと、リモートコマンダ１３より選択の決定を指示する指示信号が出力される。
【０１３４】
この指示信号をＴＶ受像機１７が受信すると、図４のステップＳ１２の入力信号受信待ちが解除され、続くステップＳ１３、ステップＳ１９、およびステップＳ２１を経てステップＳ２２の処理が行われる。
【０１３５】
ステップＳ２２で、制御マイクロコンピュータ３４は、ＨＤＤ３５から対応するファイルを読み出し、このファイルを処理する。今の場合、ファイルの処理は、自動録画予約を行う処理なので、制御マイクロコンピュータ３４は、ファイルを用いて、ＴＶ放送局がＮＮＮであり、放送日が８月９日であり、放送時刻が１８時であり、放送時間が３時間である録画予約の命令信号を、赤外線発光部１４ａを介してＶＣＲ１４に出力する。
【０１３６】
このようにして、ＶＣＲ１４に対し、自動的に録画予約の設定を行うことができる。
【０１３７】
番組案内モードから通常のＴＶ操作モードへ切り換えるときには、番組案内モードがＯＮに設定された状態から、図３の番組案内キー４１を押下する。すると、図４のステップＳ１２、ステップＳ１３を経てステップＳ１４の処理が行われる。ステップＳ１４において、番組案内モードが設定されているか否かが判断され、いまの場合、番組案内モードが設定されていると判断され、ステップＳ１７で、番組案内モードがＯＦＦに設定され、後続のステップＳ１８で、制御マイクロコンピュータ３４は映像音声処理回路３３への画像データ信号の出力を停止し、通常のＴＶ操作モードに切り替わる。このように、番組案内キー４１を押下することにより、番組案内モードから通常のＴＶ操作モードへ切り換えることができる。
【０１３８】
なお、ＨＴＭＬを用いてテキストにリンクされたファイルは、ＴＶ受像機内のファイル（上述の実施の形態では、ＨＤＤ３５に蓄積されたファイル）とすることも、ネットワーク上の他のサーバ上のファイル（例えば、インターネットのＷＷＷサーバ上のファイル）とすることも可能である。
【０１３９】
ここで、インターネットのＷＷＷサーバ（アクセスポイント）上のファイルにアクセスする際の動作について説明する。
【０１４０】
例えば、リモートコマンダ１３で選択されたテキストにリンクされたファイルが、インターネットのＷＷＷサーバに格納されたファイル（ＵＲＬで指定されるＨＴＭＬで記述されたファイル）であった場合、制御マイクロコンピュータ３４は、そのリンク先のＵＲＬへアクセスするために、ＰＰＰ（Point to Point Protocol）プルトコルに基づいてダイヤルアップＩＰ接続を行う。すなわち、予め登録済みのインターネット・サービス・プロバイダーに接続するための電話番号やＩＤなどからなる接続制御信号を、コネクタ１５ａを介してモデム１５へ予め設定された手順で出力する。モデム１５は、この接続制御信号を電話回線の基準に準処した所定の周波数信号に変換し、電話回線１６に出力する。
【０１４１】
そして、インターネット・サービス・プロバイダーのＰＰＰサーバとの間でダイヤルアップＩＰ接続が完了し、このＰＰＰサーバを介してインターネットに接続されると、リンク先のＵＲＬに基づいて、対応するＷＷＷサーバへアクセスを開始する。このアクセスに応じてＷＷＷサーバから転送されてきたＵＲＬで指定されるホームページなどのＨＴＭＬファイルは、サービス・プロバイダーを経由して、電話回線１６を介して伝送され、モデム１５に入力され、復調された後、さらに制御マイクロコンピュータ３４を介してＨＤＤ３５へ一旦格納される。制御マイクロコンピュータ３４は、一旦格納されたＨＴＭＬファイルを読み出して処理し、ホームページなどの画像データ信号を生成し、映像音声処理回路３３に出力する。映像音声処理回路３３は、上述した画像データ信号の重畳処理を行い、映像信号を出力する。
【０１４２】
このようにして、ＴＶ映像信号のＶＢＩにＵＲＬ情報（ドメイン情報）を含むハイパーテキストデータ信号を多重化させて伝送することにより、ＴＶ放送番組を視聴しつつ、必要に応じて、ＵＲＬに対応する世界規模で広がるインターネット上のＷＷＷサーバに自動的に接続することができ、いわゆるネットサーフィンとよばれるように、次々とリンクが張られたホームページを辿って、多種多様なＷＷＷ情報ソースを閲覧することができ、ネットワークサービスを享受することができる。
【０１４３】
なお、上述した実施の形態においては、テレビジョン受像機に一体的に組み込んだ場合を例に挙げて説明したが、図２に示される、データ放送受信回路３２、制御マイクロコンピュータ３４およびＨＤＤ３５からなる拡張機能部分を、いわゆるセットトップボックスとよばれるような拡張ボックスとして構成し、既存のテレビジョン受像機と組み合わせて用いるようにしても勿論構わない。
【０１４４】
また、ハイパーテキストデータ信号等を蓄積する蓄積手段としてＨＤＤ３５を用いた例を示したがＭＤ（ミニディスク（商標））データやＭＯなどのリムーバブルな光磁気ディスクを記録媒体とする光磁気記録再生装置を用いて構成しても勿論構わない。この場合、記録媒体を差し替えることで、ネットワークに接続する環境に無いＴＶ受像機でも、上述した場合と同様のファイル閲覧が可能である。
【０１４５】
以上のようにして、ハイパーテキストデータ信号を利用し、ＴＶ番組案内を含む、ＴＶ放送番組に関連した様々の情報サービスをユーザに提供することができる。
【０１４６】
このように、各種情報サービスの処理を行うＴＶ受像機は勿論、種々の情報サービスを提供するための制御情報を備えるハイパーテキストデータ信号は、それだけで商品価値があり、このハイパーテキストデータ信号の制御内容にサービス利用料に対応した段階的なサービス体系を設定し、各サービス利用料のレベルに従いサービスの差別化を図ることも可能である。
【０１４７】
なお、本発明は、上記実施の形態の他、ＴＶ放送の内容に関連した処理をインターネット上のＷＷＷサーバに実行させたり、ＴＶ受像機１７に接続された各種周辺機器に実行させたりする等の種々の改変が可能である。
【０１４８】
【発明の効果】
以上のように本発明によれば、視聴者に番組を紹介しつつ、その紹介の中から、迅速、かつ、確実に、所望の番組を選択させるサービスを実現することが可能となる。
【図面の簡単な説明】
【図１】本発明のＴＶ放送装置１の構成例を示すブロック図である。
【図２】本発明のＴＶ受像機１７の構成例を示すブロック図である。
【図３】リモートコマンダ１３の操作部の例を示す図である。
【図４】図２で示すＴＶ受像機１７の処理を説明するフローチャートである。
【図５】図３のリモートコマンダの番組案内キー４１操作時のＣＲＴ３６に表示されるホームページ画面の表示例を示す図である。
【図６】図５に示すホームページ画面よりテキストＴ１を選択したときの画面を示す図である。
【図７】図６に示す表示画面よりテキストＴ１２を選択したときの画面を示す図である。
【図８】図７に示す表示画面よりテキストＴ４１を選択したときの画面を示す図である。
【図９】図７に示す表示画面よりテキストＴ４２を選択したときの画面を示す図である。
【図１０】図７に示す表示画面よりテキストＴ４３選択したときの画面を示す図である。
【図１１】図７に示す表示画面よりテキストＴ４４選択したときの画面を示す図である。
【図１２】図５に示すホームページ画面よりテキストＴ２を選択したときの画面を示す図である。
【図１３】図１２に示す表示画面よりテキストＴ６１を選択したときの画面を示す図である。
【図１４】図１３に示す表示画面よりテキストＴ７１を選択したときの画面を示す図である。
【図１５】図１４に示す表示画面よりテキストＴ８７を選択したときの画面を示す図である。
【図１６】図１５に示す表示画面よりテキストＴ９１を選択したときの画面を示す図である。
【図１７】図１６に示す表示画面よりテキストＴ１０１を選択したときの画面を示す図である。
【符号の説明】
１  ＴＶ放送装置，  ２  アンテナ，  １１  アンテナ，  １３  リモートコマンダ，  １４  ＶＣＲ，  １５  モデム，  １６  電話回線，  １７  ＴＶ受像機，  ２１  ＴＶ信号発生回路，  ２２  テキストデータ信号発生回路，  ２３  ハイパーテキストデータ信号発生回路，  ２４  マルチプレクサ，  ２５  送信回路，  ３１  ＴＶ放送受信回路，  ３２  データ放送受信回路，  ３３  映像音声処理回路，  ３４  制御マイクロコンピュータ，  ３５  ハードディスクドライブ，  ３６  ＣＲＴ，  ３７  スピーカ
【図１】
0004434607.tif 000002
【図２】
0004434607.tif 000003
【図３】
0004434607.tif 000004
【図４】
0004434607.tif 000005
【図５】
0004434607.tif 000006
【図６】
0004434607.tif 000007
【図７】
0004434607.tif 000008
【図８】
0004434607.tif 000009
【図９】
0004434607.tif 000010
【図１０】
0004434607.tif 000011
【図１１】
0004434607.tif 000012
【図１２】
0004434607.tif 000013
【図１３】
0004434607.tif 000014
【図１４】
0004434607.tif 000015
【図１５】
0004434607.tif 000016
【図１６】
0004434607.tif 000017
【図１７】
0004434607.tif 000018